(57)【要約】【課題】  水槽下方側の傾斜面に設けられる送風ファンに対する水の侵入を防止する構造を備えたドラム式洗濯乾燥機を提供する。【解決手段】  回転ドラム２及び水槽３を傾斜配置して洗濯物の出し入れを容易にして、回転ドラム２内にその背面側下方から温風を送風して乾燥性能を向上させた構造にドラム式洗濯乾燥機を構成したとき、送風ファンは水槽背面の下向き傾斜面に取り付けられるので、傾斜面を伝ってファンモータ５８に水が侵入しやすくなるので、遮水壁６０、円筒壁６１、リング状部材６２を設けてファンモータ５８内への水の侵入を防止する。【選択図】  図５
2005124761.tif 000002
【特許請求の範囲】
【請求項１】
筐体内に配設された略有底円筒形の水槽内に、周面に多数の透孔が形成された有底円筒形のドラム内に洗濯物を収容してドラム駆動モータによって回転駆動される回転ドラムが配設され、前記水槽及び回転ドラムは、回転ドラムの回転軸方向が正面側から背面側に向けて下向き傾斜となるように傾斜配置され、前記水槽内から排気した空気を除湿手段、送風手段、加熱手段が設けられた空気循環路を通して水槽の背面に形成された送風口から水槽内に送風する乾燥用空気循環経路が水槽背面の傾斜面上に設けられてなるドラム式洗濯乾燥機において、
前記送風手段は、前記乾燥用空気循環経路を形成するハウジング外面の下向き傾斜面上にその回転軸をハウジング内に貫通させて固定されたファンモータと、ハウジング内に前記回転軸に固定して配設されたファンとを備え、前記ファンモータの外面に水が付着することを防ぐ防水手段と、ファンモータ内部への水の侵入を防ぐ浸水遮断手段とが設けられてなることを特徴とするドラム式洗濯乾燥機。
【請求項２】
防水手段は、ハウジングの外面にファンモータの側周部を囲むように形成された遮水壁である請求項１に記載のドラム式洗濯乾燥機。
【請求項３】
浸水遮断手段は、ハウジングの内面に回転軸を囲むように形成された円筒壁である請求項１に記載のドラム式洗濯乾燥機。
【請求項４】
壁面最下部に水抜き穴が貫設されてなる請求項２又は３に記載のドラム式洗濯乾燥機。
【請求項５】
浸水遮断手段は、回転軸に固定されたリング状部材である請求項１に記載のドラム式洗濯乾燥機。
【請求項６】
浸水遮断手段は、ハウジングの内面に回転軸を囲むように形成された円筒壁と回転軸に固定されたリング状部材とからなり、前記円筒壁は、前記リング状部材の最下部より回転軸寄りに頂上部分が位置するように形成されてなる請求項１に記載のドラム式洗濯乾燥機。
【発明の詳細な説明】
【技術分野】
【０００１】
本発明は、水槽内に回転自在に配設された回転ドラム内に洗濯物を収容して、洗濯、すすぎ、脱水、乾燥の各工程を行うドラム式洗濯乾燥機に関するものである。
【背景技術】
【０００２】
水槽内に回転自在に配した回転ドラム内に洗濯物を投入して回転ドラムを回転駆動することにより、洗濯工程、すすぎ工程、脱水工程を順次実行して洗濯物を洗浄するドラム式洗濯機が構成され、このドラム式洗濯機に乾燥機能を設けることにより、脱水工程を終えた洗濯物を乾燥する乾燥工程を実行することができるドラム式洗濯乾燥機に構成することができる。
【０００３】
乾燥機能は、水分を含む洗濯物が収容された回転ドラム内と空気流通する水槽内の湿気を含んだ空気を槽外に排気し、排気した空気中の湿気を除湿手段により除湿した後、加熱手段によって加熱乾燥させた温風にして再び水槽内に送風するように構成され、湿気を含む空気が排気され、乾燥した温風が送風される空気循環が継続されることにより、回転ドラム内の洗濯物は乾燥される。
【０００４】
回転ドラムはその周面全体に水及び空気が通過できる透孔が多数形成されているため、この回転ドラムを収容する水槽内から排気すると、水分を含む洗濯物を収容した回転ドラム内の湿気を含む空気は前記透孔を通過して水槽内から槽外に排出される。一方、排気した湿気を含む空気から除湿し加熱した温風を回転ドラム内に送風するとき、単に水槽内に送風しても湿気を含む排気と混合して乾燥能力が低下してしまうため、回転ドラム内から洗濯物を出し入れするために開口している回転ドラム正面開口部の上方から温風を回転ドラム内に送風している（特許文献１参照）。
【特許文献１】特開平７−４７１９５号公報（第２〜４頁、図１）
【発明の開示】
【発明が解決しようとする課題】
【０００５】
ドラム式洗濯乾燥機の筐体内は温度変化が大きいため結露が発生しやすく、水滴が飛散する場合もあるので、電気的構成要素に水が侵入しないように防水対策を施す必要がある。特に、乾燥工程において乾燥用空気を循環させるための送風ファンを下方に配置した場合には、ファンを回転駆動するファンモータ内に水が侵入しないように対策構造を設けることが要求される。上記従来技術では筐体内の最も上方となる位置に送風ファンを水平にして配設しているため、防水対策は簡略化することができる。
【０００６】
しかし、本発明が目的とする回転ドラム内に収容された洗濯物に乾燥した温風を満遍なく送給できる送風構造を実現するためには、送風ファンを水槽の後方に配置する必要があり、しかも、回転ドラムをその回転軸方向が水平方向から傾斜した状態にして水槽内に配置する構造であるため、送風ファンは水平方向から傾斜した状態に配設されるため、ファンモータに水滴が付着したり、ファンモータ内に水が侵入しやすい状態となる。従って、ファンモータに対する水の付着や内部への侵入を防止する防水構造を設けることが要求される。
【０００７】
本発明が目的とするところは、送風ファンを駆動するファンモータに対する防水構造を設けたドラム式洗濯乾燥機を提供することにある。
【課題を解決するための手段】
【０００８】
上記目的を達成するための本発明は、筐体内に配設された略有底円筒形の水槽内に、周面に多数の透孔が形成された有底円筒形のドラム内に洗濯物を収容してドラム駆動モータによって回転駆動される回転ドラムが配設され、前記水槽及び回転ドラムは、回転ドラムの回転軸方向が正面側から背面側に向けて下向き傾斜となるように傾斜配置され、前記水槽内から排気した空気を除湿手段、送風手段、加熱手段が設けられた空気循環路を通して水槽の背面に形成された送風口から水槽内に送風する乾燥用空気循環経路が水槽背面の傾斜面上に設けられてなるドラム式洗濯乾燥機において、前記送風手段は、前記乾燥用空気循環経路を形成するハウジング外面の下向き傾斜面上にその回転軸をハウジング内に貫通させて固定されたファンモータと、ハウジング内に前記回転軸に固定して配設されたファンとを備え、前記ファンモータの外面に水が付着することを防ぐ防水手段と、ファンモータ内部への水の侵入を防ぐ浸水遮断手段とが設けられてなることを特徴とする。
【０００９】
上記ドラム式洗濯乾燥機は、水槽及び回転ドラムを傾斜配置すると共に、回転ドラムの背面側から乾燥した温風を送風する乾燥用空気循環経路を形成しているので、送風ファンは水槽背面の斜め傾斜部位に設けられたハウジング内にファン部分を配し、ハウジングの外にファンモータが取り付けられる。このような構造においては結露水や飛散した水が傾斜面を伝ってファンモータに侵入しやすくなるので、ファンモータに防水手段と浸水遮断手段とを設けることにより、ファンモータ内に水が侵入することによる故障の発生が防止できる。
【００１０】
上記構成において、防水手段は、ハウジングの外面にファンモータの側周部を囲むように形成された遮水壁として構成することにより、ファンモータをハウジングに取り付ける障害とならず、ファンモータの放熱性も確保して側周部及びハウジング取付面からの水の侵入を防ぐことができる。
【００１１】
また、浸水遮断手段は、ハウジングの内面に回転軸を囲むように所定高さに形成された円筒壁として構成することにより、傾斜したハウジングの内面に沿って流れ落ちてきた水が回転軸を伝ってファンモータ内に侵入することが防止できる。
【００１２】
また、上記遮水壁や円筒壁として形成された壁面の最下部に水抜き穴を貫設しておくことにより、中に侵入した水を滞留させることなく水抜き穴から外部に排出することができる。
【００１３】
また、浸水遮断手段は、回転軸に固定されたリング状部材として設けることにより、ファンから回転軸を伝って流れてきた水をリング状部材の部分でせき止めることができる。
【００１４】
上記円筒壁は、回転軸に固定されたリング状部材の最下部より回転軸寄りに頂上部分が位置するように形成することにより、リング状部材でせき止められた水が滴下して円筒壁の中に落ちることがない。
【発明の効果】
【００１５】
本発明によれば、回転ドラム及び水槽を傾斜配置し、水槽の背面側から送風することから送風ファンは水槽背面の斜め傾斜部位に取り付けられるので、結露水や飛散した水が傾斜面を伝ってファンモータに侵入しやすくなるが、ファンモータに防水手段と浸水遮断手段とが設けられているので、ファンモータへの水の侵入を防止することができる。
【発明を実施するための最良の形態】
【００１６】
図１は、実施形態に係るドラム式洗濯乾燥機１の要部構成を示すもので、洗濯機筐体６内には図示しないサスペンション構造によって水槽３が斜め傾斜した状態に支持され、水槽３内には有底円筒形に形成された回転ドラム２が回転自在に支持されている。回転ドラム２は水槽３の背面に取り付けられたドラム駆動モータ７によって回転速度可変及び回転方向切換可能に回転駆動される。また、回転ドラム２は、その回転軸方向が図示するように開口する正面側から底面となる背面側に向けて下向き傾斜となるように傾斜配置されているため、洗濯機筐体６の正面側に形成された傾斜面６ａに開閉自在に設けられた扉体９を開くと、回転ドラム２に対する洗濯物の出し入れする作業に際して腰を屈める具合が少なくてすみ、また、ドラム式洗濯機１の正面側に余裕のある空間を確保する必要もないので、洗面所などの狭い空間にも設置可能なドラム式洗濯乾燥機１に構成することができる。
【００１７】
前記洗濯機筐体６内には、上記構成要素の他に、水槽３内に水を給水するための給水部１２や、水槽３内の水を外部に排水するための排水部１３などが配設され、更に、図２、図３に示すように、回転ドラム２内に収容した洗濯物を乾燥する乾燥工程が実施できるように、排気口２１から排気した水槽３内の空気を除湿管路１６、糸屑回収フィルタ１７、送風管路１８、加熱管路１９を通して送風口２２から再び水槽３内に送風する乾燥用空気循環経路が構成されている。
【００１８】
図２に示すように、除湿管路１６は水槽３の側周面に隣接して形成されており、水槽３の側周面に開口する排気口２１によって水槽３内に連通している。除湿管路１６内には注水ノズル５２と、注水ノズル５２から散水される水が流れる熱交換器５１とを備えた除湿手段３８が配設され、排気口２１から排気された水槽３内の空気は除湿手段３８により冷却されることによって除湿される。この除湿管路１６は洗濯機筐体６の正面側で送風管路１８に連結され、送風管路１８の入口には空気中に含まれる糸屑等の塵埃を濾過する糸屑回収フィルタ１７が配設されている。送風管路１８は水槽３の背面側に配設された加熱管路１９に空気を案内するための管路で、水槽３の側周面に除湿管路１６と共に隣接配置されている。図３に示すように、送風管路１８は水槽３の背面側に略円弧状に形成された加熱管路１９に連結され、連結部位に配設された送風ファン１５により乾燥用空気循環経路に一方通行の空気の流れが形成される。
【００１９】
前記加熱管路１９内にはヒータ２０が配設され、送風管路１８から流れてきた空気を加熱して水槽３内に通じる送風口２２から加熱乾燥した温風として水槽３内に送給する。加熱管路１９には送風口２２から送風される空気温度を検出する温度検知部５４を構成する温度センサ５５が配設され、検出された送風空気の温度に応じてヒータ２０による加熱温度が調節できるように構成されている。また、加熱管路１９にはヒータ２０の異常過熱状態を検出してヒータ２０への通電を遮断する温度ヒューズ２７や、送風口２２から逆流した水や泡が送風ファン１５側に流入する溢水水位を検出する溢水水位センサ２９が配設されている。
【００２０】
上記構成になるドラム式洗濯乾燥機は、洗濯工程、すすぎ工程、脱水工程の終了後、引き続いて脱水された洗濯物を乾燥させるために乾燥工程を実行することも、濡れた衣服等を乾かすために乾燥工程だけを実行することも任意に選択実施することができる。乾燥工程の実施が選択入力された場合には、送風ファン１５及びヒータ２０をＯＮ制御されると共に注水弁５３を開く制御がなされるので、送風ファン１５が回転駆動されて乾燥用空気循環経路に水槽３内の空気を循環させる乾燥動作が実施される。
【００２１】
図２に示すように、送風ファン１５の回転により回転ドラム２内の空気は周面に形成された透孔８から水槽３内に出て排気口２１から除湿管路１６内に排気される。除湿管路１６内に配設された熱交換器５１には注水弁５３が開かれることにより注水ノズル５２から注水する除湿手段３８が構成されているので、除湿管路１６内に排気された湿気を含む空気は冷却されて除湿される。除湿管路１６で除湿された空気は糸屑回収フィルタ１７を通過して送風管路１８を通って水槽３の後方に導かれ、水槽３の背面に設けられた加熱管路１９に流れ、ヒータ２０によって加熱されて送風口２２から水槽３内に送風される。水槽３内に送風された空気は回転ドラム２の底面に形成された通気口３９や透孔８から回転ドラム２内に流入するので、除湿加熱された空気により洗濯物から水分が奪い取られ、回転ドラム２の回転による攪拌により全ての洗濯物の乾燥が促進され、この空気循環が所定時間繰り返されることにより洗濯物の乾燥がなされる。
【００２２】
図４に示すように、回転ドラム２の底面（背面）には、水槽３に形成された送風口２２に対応する円周上に複数の通気口３９が形成されており、送風口２２から水槽３内に送風される温風の多くは回転する回転ドラム２に形成された通気口３９から回転ドラム２内に送給される。送風口２２は回転ドラム２の中心より下方に形成されているので、温風は回転ドラム２の下方寄りから送風されて上昇するので、回転ドラム２内で攪拌される洗濯物に広範囲に触れて洗濯物から水分を奪うことができる。
【００２３】
上記構成において、回転ドラム２及び水槽３が傾斜配置され、水槽３の背面側から乾燥した温風を送風するので、送風ファン１５は図２に示すように、水槽３の背面に設けられた加熱管路１９に取り付けられる。このような構成では、送風ファン１５は水槽３の背面側の下向き傾斜面に送風ファン１５が取り付けられるため、滴下する水や傾斜面を流れてきた水が送風ファン１５を構成するファンモータに侵入して故障を発生させやすくなる。従って、ファンモータを水から保護する防水構造を設けることが要求される。この防水構造について、図５を参照して説明する。
【００２４】
図５は、送風ファン１５とその取付構造を示すもので、送風ファン１５は図３に示す加熱管路１９を構成する上管路ケース２４の上に被せられる下管路ケース（ハウジング）２３に取り付けられている。送風ファン１５は、下管路ケース２３の外面側にファンモータ５８がその回転軸５８ａを加熱管路１９内に貫通させて取り付けられ、回転軸５８ａに加熱管路１９内に配したファン５７が固定されている。下管路ケース２３の外面にはファンモータ５８の側周部を囲うように円筒状に形成された遮水壁（防水手段）６０が突出形成され、ファンモータ５８の放熱性を確保しつつ水滴が付着することを防いでいる。また、下管路ケース２３の内面には回転軸５８ａを囲んで段付き円筒状に形成された円筒壁（浸水遮断手段）６１が突出形成され、回転軸５８ａを伝って水がファンモータ５８内に侵入しないようにしている。この円筒壁６１は下管路ケース２３の内面が上向き傾斜面であるため、円筒壁６１内に水が侵入したときに、それを円筒壁６１内に滞留させることなく外部に排出できるように、最下部位置に水抜き穴６１ａが形成されている。更に、回転軸５８ａにはリング状部材（浸水遮断手段）６２が固着されており、ファン５７から回転軸５８ａを伝って水がファンモータ５８内に侵入しないようにしている。このリング状部材６２でせき止められた水は、リング状部材６２の最下部から滴下するので、水の滴下線Ｗ上より前記円筒壁６１が回転軸５８ａ寄りに位置するように形成すると、滴下した水が円筒壁６１内に落ちることがない。円筒壁６１が段付き構造に形成されているのは、リング状部材６２から滴下する水が円筒壁６１内に入らないようにするためである。
【産業上の利用可能性】
【００２５】
以上の説明の通り本発明により、回転ドラムを傾斜配置すると共に、回転ドラムの背面側から乾燥した温風を送風する乾燥用空気循環経路を形成しているので、洗濯物の出し入れが容易で乾燥性能に優れたドラム式洗濯乾燥機が構成できる。このように乾燥機能を構成した場合に、送風ファンは水槽背面の斜め傾斜部位に取り付けられるので、下向き傾斜面に取り付けられるファンモータには結露水や飛散した水が傾斜面を伝って侵入しやすくなるが、ファンモータに防水手段と浸水遮断手段とを設けることにより、ファンモータ内に水が侵入することによる故障の発生が防止できるドラム式洗濯乾燥機を提供することができる。
【図面の簡単な説明】
【００２６】
【図１】実施形態に係るドラム式洗濯乾燥機の要部構成を示す断面図。
【図２】同上ドラム式洗濯乾燥機が備える乾燥機能の構成を示す断面図。
【図３】加熱管路内の構成を示す水槽背面側の平面図。
【図４】回転ドラムの底面に形成された通気口を示す平面図。
【図５】ファンモータの防水構造を示す断面図。
【符号の説明】
【００２７】
１  ドラム式洗濯乾燥機
２  回転ドラム
３  水槽
７  ドラム駆動モータ
８  透孔
１５  送風ファン（送風手段）
１６  除湿管路
１７  糸屑フィルタ（除塵手段）
１８  送風管路
１９  加熱管路
２０  ヒータ（加熱手段）
２１  排気口
２２  送風口
３８  除湿手段
３９  通気口
５７  ファン
５８  ファンモータ
５８ａ  回転軸
６０  遮水壁（防水手段）
６１  円筒壁（浸水遮断手段）
６１ａ  水抜き穴
６２  リング状部材（浸水遮断手段）
【図１】
2005124761.tif 000003
【図２】
2005124761.tif 000004
【図３】
2005124761.tif 000005
【図４】
2005124761.tif 000006
【図５】
2005124761.tif 000007